(57)【特許請求の範囲】
【請求項１】
複数の搬送波からなる通信チャンネルを用いて通信を行う通信装置に内蔵されて、該通信チャンネルのキャリアセンスを行うキャリアセンス回路であって、
前記通信チャンネルを介して受信した信号をデジタル変換して得られるデジタル受信信号を高速フーリエ変換することによって、該デジタル受信信号の周波数スペクトルを算出するＦＦＴ処理手段と、
前記ＦＦＴ処理手段により算出された周波数スペクトルが予め設定されたノイズ条件を満たす場合、前記デジタル受信信号のノイズ成分を抽出するノイズ抽出手段と、
前記ノイズ抽出手段が前記ノイズ成分を抽出した場合、前記周波数スペクトルから前記ノイズ成分を除去したノイズ除去スペクトルに基づいてキャリアセンスを行うキャリア判定手段と、
を備え、
前記キャリア判定手段は、前記ノイズ除去スペクトルを逆フーリエ変換することによって得られるノイズ除去信号に基づいて、前記ノイズ除去信号の信号強度が予め規定される第１基準値を超える場合、前記通信チャンネルの搬送波が存在すると判定することを特徴とするキャリアセンス回路。
【請求項２】
前記ノイズ条件は、前記周波数スペクトルのうち、振幅が予め規定される第２基準値を超える周波数ポイントである選択ポイントの平均振幅値を選択振幅値として、全周波数ポイントの平均振幅値に対する前記選択振幅値の比が、予め設定された第１閾値を上回ることであることを特徴とする請求項１に記載のキャリアセンス回路。
【請求項３】
複数の搬送波からなる通信チャンネルを用いて通信を行う通信装置に内蔵されて、該通信チャンネルのキャリアセンスを行うキャリアセンス回路であって、
前記通信チャンネルを介して受信した信号をデジタル変換して得られるデジタル受信信号を高速フーリエ変換することによって、該デジタル受信信号の周波数スペクトルを算出するＦＦＴ処理手段と、
前記ＦＦＴ処理手段により算出された周波数スペクトルが予め設定されたノイズ条件を満たす場合、前記デジタル受信信号のノイズ成分を抽出するノイズ抽出手段と、
前記ノイズ抽出手段が前記ノイズ成分を抽出した場合、前記周波数スペクトルから前記ノイズ成分を除去したノイズ除去スペクトルに基づいてキャリアセンスを行うキャリア判定手段と、
を備え、
前記ノイズ条件は、前記周波数スペクトルのうち、振幅が予め規定される第２基準値を超える周波数ポイントである選択ポイントの平均振幅値を選択振幅値として、全周波数ポイントの平均振幅値に対する前記選択振幅値の比が、予め設定された第１閾値を上回ることであることを特徴とするキャリアセンス回路。
【請求項４】
前記ノイズ条件は、前記周波数スペクトルのうち、前記通信チャンネルのガードバンド帯域に相当する周波数ポイントであるＧＢポイントの平均振幅値をＧＢ振幅値、前記選択ポイントから前記ＧＢポイントを除去した周波数ポイントである信号ポイントの平均振幅値を信号振幅値として、前記ＧＢ振幅値に対する前記信号振幅値の比が、予め設定された第２閾値を下回ることであることを特徴とする請求項２または請求項３に記載のキャリアセンス回路。
【発明の詳細な説明】
【技術分野】
【０００１】
本発明は、デジタル無線通信用の通信装置に内蔵されるキャリアセンス回路に関する。
【背景技術】
【０００２】
従来より、ＯＦＤＭ（Orthogonal Frequency Division Multiplex）伝送方式が採用されたＩＥＥＥ８０２．１１ａ等の無線ＬＡＮに代表されるように、複数の搬送波（キャリア）を用いて通信を行う通信装置が複数存在する環境下で、無線通信により通信装置間でパケットデータを送受信するデジタル無線通信システムが知られている。
【０００３】
また、このようなデジタル無線通信システムにおいて使用されるアクセス制御の一つとしてＣＳＭＡ（Carrier Sense Multiple Access）方式が知られている。
このＣＳＭＡ方式では、データを送信しようとする通信装置が、自装置に内蔵されるキャリアセンス回路によって、受信先の通信装置との通信に使用する通信チャンネルの搬送波（キャリア）を検出した場合に、通信チャンネルが空くまで待機してデータを送信することで、他の通信装置からの信号と干渉が生じないように制御している。
【０００４】
なお、キャリアセンス回路では、待機中の受信信号のＲＳＳＩ（Received Signal Strength Indicator）と、デジタル無線通信システム毎に規定されるキャリアセンスレベルに基づく基準値とを比較して、ＲＳＳＩがその基準値を超える場合には、通信チャンネルのキャリア（通信キャリア）が存在すると判定し、ＲＳＳＩが基準値以下である場合には、通信キャリアが存在しないと判定している（例えば、特許文献１参照）。
【特許文献１】特開２００３−１１０５２７号公報
【発明の開示】
【発明が解決しようとする課題】
【０００５】
ところで、前述のようなデジタル無線通信システムは、送信側が、誤り訂正符号に符号化するエンコード処理や、符号列を分散するインターリーブ処理を施したパケットデータを送信し、受信側が、受信したパケットデータを元の符号列の順番に並べ替えるデインターリーブ処理や、並べ替えられた符号列のビタビ復号によるデコード処理を行うことで、通信チャンネルに多少のノイズが存在していても通信可能となるように構成されている。
【０００６】
例えば、図９に示すように、通信チャンネルの周波数帯域（自通信システム帯域）に漏れ込んでくるノイズのうち、ＲＳＳＩが少しだけ基準値を超えるもの（例えば、他通信システムからの到来電波）や、特定の周波数に対応するＲＳＳＩのみが第２基準値を超えるもの（例えば、他通信システム・機器からの到来電波）は、デジタル無線通信システムにおいて通信可能な程度のノイズとみなすことができる。
【０００７】
しかし、従来のキャリアセンス回路を備えた通信装置では、通信可能な程度のノイズが存在している環境下（以下、ノイズ環境下という）であっても、ＲＳＳＩが基準値を超えていれば一律に通信チャンネルが空いていないと判断してしまうため、待機状態がむやみに続いて送信機会を逸してしまうことがあり、ひいては通信効率が低下するという問題があった。
【０００８】
本発明は、上記問題点を解決するために、ノイズ環境下にあっても通信効率を低下させずに済むことが可能なキャリアセンス回路を提供することを目的とする。
【課題を解決するための手段】
【０００９】
上記目的を達成するためになされた請求項１（及び請求項３）に記載のキャリアセンス回路は、複数の搬送波からなる通信チャンネルを用いて通信を行う通信装置に内蔵されて、その通信チャンネルのキャリアセンスを行う回路であって、ＦＦＴ処理手段が、通信チャンネルを介して受信した信号をデジタル変換して得られるデジタル受信信号を高速フーリエ変換することによって、そのデジタル受信信号の周波数スペクトルを算出する。
【００１０】
そして、ノイズ抽出手段が、ＦＦＴ処理手段により算出された周波数スペクトルが予め設定されたノイズ条件を満たす場合、デジタル受信信号のノイズ成分を抽出し、キャリア判定手段が、ノイズ抽出手段によりノイズ成分が抽出された場合、周波数スペクトルからノイズ成分を除去したノイズ除去スペクトルに基づいてキャリアセンスを行う。
【００１１】
このため、本発明のキャリアセンス回路によれば、他の通信システムや電子機器から送信されてくるノイズによって通信チャンネルが空いていないと誤判定（以下、キャリアセンスの誤判定という）をしてしまうことを防止し、その結果、待機状態がむやみに続いて送信機会を逸してしまうことを抑制することが可能となる。
【００１２】
したがって、本発明のキャリアセンス回路によれば、通信可能な程度のノイズが存在している環境下にあっても通信効率を低下させずに済むことができる。
また、本発明のキャリアセンス回路において、キャリア判定手段は、例えば、請求項２に記載のように、ノイズ除去スペクトルを逆フーリエ変換することによって得られるノイズ除去信号に基づいて、ノイズ除去信号の信号強度が予め規定される第１基準値を超える場合、通信チャンネルの搬送波が存在すると判定し、ノイズ除去信号の信号レベルが第１基準値以下である場合、通信チャンネルの搬送波が存在しないと判定してもよい。
【００１３】
このように構成されたキャリアセンス回路によれば、ノイズ除去信号のＲＳＳＩと第１基準値とを比較することで、簡易な処理によってキャリアセンスを行うことができる。なお、キャリア判定手段は、ノイズ除去信号を逆フーリエ変換することなく、ノイズ除去スペクトル上での振幅の積分値を用いて閾値判定することによって、キャリアセンスを行ってもよい。
【００１４】
ところで、ノイズ条件は、請求項２（及び請求項３）に記載のように、周波数スペクトルのうち、振幅が予め規定される第２基準値を超える周波数ポイントである選択ポイントの平均振幅値を選択振幅値として、全周波数ポイントの平均振幅値に対する選択振幅値の比（以下、第１振幅比という）が、予め設定された第１閾値を上回ることであればよい。
【００１５】
この場合、特定の周波数ポイントのみが第２基準値を大幅に超えるノイズ（以下、周波数選択性ノイズという）を受信した場合、第１振幅比が第１閾値を上回り、その結果、周波数選択性ノイズによるキャリアセンスの誤判定を防止することができる。
【００１６】
或いは、ノイズ条件は、請求項４に記載のように、周波数スペクトルのうち、通信チャンネルのガードバンド帯域に相当する周波数ポイントであるＧＢポイントの平均振幅値をＧＢ振幅値、選択ポイントからＧＢポイントを除去した周波数ポイントである信号ポイントの平均振幅値を信号振幅値として、ＧＢ振幅値に対する信号振幅値の比（以下、第２振幅比という）が、予め設定された第２閾値を下回ることであればよい。なお、第２閾値は、信号振幅値を信号レベル、ＧＢ振幅値を雑音レベルとみなして、デジタル受信信号の復調処理に必要なＳＮ比を満たす値以下に設定されていればよい。
【００１７】
この場合、通信チャンネルの周波数帯で満遍なく第２基準値を超えるノイズ（以下、周波数非選択性ノイズという）を受信した場合、第２振幅比が第２閾値を下回り、その結果、周波数非選択性ノイズによるキャリアセンスの誤判定を防止することができる。
【発明を実施するための最良の形態】
【００１８】
以下に、本発明の実施形態を図面と共に説明する。
＜通信装置の全体構成＞
図１は、本実施形態の通信装置１の概略構成を示すブロック図である。
【００１９】
図１に示すように、通信装置１は、ＯＦＤＭ通信を行うデジタル無線通信システムＳにおいて使用される装置であって、通信システム毎に予め割り当てられた周波数帯の信号であるＲＦ信号の送受信をアンテナ２を介して行うＲＦ部３と、データ通信における物理層の制御（デジタル信号処理）を行うＰＨＹ部４と、通信規格で規定されるアクセス制御を行うＭＡＣ部５とを備えている。
【００２０】
このうち、ＲＦ部３は、ＰＨＹ部４から信号が入力されると、その入力信号をアップコンバートして生成したＲＦ信号をアンテナ２を介して送信するＲＦ送信処理を実行し、アンテナ２を介してＲＦ信号を受信すると、その受信信号を、ＰＨＹ部４が行うデジタル信号処理に適した周波数帯の信号にダウンコンバートするＲＦ受信処理を実行する。
【００２１】
ＭＡＣ部５は、パーソナルコンピュータ（ＰＣ）等との間でデータの授受を行う上位層６から送信要求がなされると、データ列にヘッダ情報を付加してＭＡＣフレームを生成し、その生成したＭＡＣフレームをＰＨＹ部４に受け渡すＭＡＣ送信処理を実行し、ＰＨＹ部４からＭＡＣフレームを受け取ると、そのＭＡＣフレームのヘッダ情報を解析して元のデータ列に復元し、上位層６に受け渡すＭＡＣ受信処理を実行する。
【００２２】
なお、ＭＡＣ送信処理では、ＰＨＹ部４からの後述するキャリアセンスの判定結果に基づいて、受信先の通信装置との通信に使用する通信チャンネルが空いていると判断した場合、データを送信し、空いていないと判断した場合、通信チャンネルが空くまで待機してデータを送信することで、他の通信装置からの信号と干渉が生じないように制御している。
【００２３】
＜ＰＨＹ部の構成＞
ＰＨＹ部４は、図２に示すように、ＭＡＣ部５からＭＡＣフレームを受け取ると送信信号を生成するＰＨＹ送信処理を実行するＰＨＹ送信部７と、ＲＦ部３からダウンコンバートされた受信信号が入力されるとＭＡＣフレームを抽出するＰＨＹ受信処理を実行するＰＨＹ受信部８とからなる。
【００２４】
このうち、ＰＨＹ送信部７は、ＭＡＣ部５から出力されるＭＡＣフレームを表すビット列を、誤り訂正符号（ここでは畳み込み符号）に符号化するエンコーダ１１と、エンコーダ１１から出力される符号化ビット列の順番の並び替え（インターリーブ処理）を行うインターリーバ１２と、インターリーバ１２でインターリーブ処理が施された符号化ビット列を、Ｎビット毎に２NＱＡＭのシンボル点にマッピングする（即ち、一次変調を行う）変調部１３とを備えている。
【００２５】
また、ＰＨＹ送信部７は、変調部１３の出力（以下、一次変調シンボルという）を、直交周波数多重（ＯＦＤＭ；Orthogonal Frequency Division Multiplex）に使用するＭ（Ｍは２以上の整数）本のサブキャリアに対応させて、逆ＦＦＴ変換を実行することによりＯＦＤＭシンボル（即ち、二次変調シンボル）を表すデータ列を生成する第１ＩＦＦＴ部１４と、第１ＩＦＦＴ部１４から出力されるデータ列の先頭に後述するプリアンブルを付加するプリアンブル部１５と、プリアンブル部１５から出力されるデータ列をデジタル−アナログ変換した信号をＲＦ部３に出力するＤＡＣ１６とを備えている。
【００２６】
一方、ＰＨＹ受信部８は、ＲＦ部３からの入力信号をアナログ−デジタル変換することでデータ列を生成するＡＤＣ２１と、ＡＤＣ２１が生成したデータ列の中からＦＦＴ変換を施すためのデータやフレームの切れ目を表すプリアンブルを検出（即ち、ＦＦＴ変換の動作を始めるタイミングを検出）する同期検出部２２と、同期検出部２２により検出されたタイミングでＡＤＣ２１が生成したデータ列をＦＦＴ変換することにより、Ｍ本のサブキャリアに対応させた一次変調シンボルに復調する第１ＦＦＴ部２３とを備えている。
【００２７】
また、ＰＨＹ受信部８は、第１ＦＦＴ部２３にて復調された一次変調シンボルに基づいてｎビットの軟判定値を生成する復調部２４と、受信信号の受信レベルを評価するための評価値を生成するレベル検出器２５と、レベル検出器２５が生成した評価値に基づいて重み係数を設定し、その重み係数を復調部２４が生成する軟判定値のそれぞれに乗じることにより、補正された軟判定値からなる符号列を生成する重み制御部２６と、重み制御部２６が生成した符号列の順番を元の順番に並び替えるデインターリーバ２７と、デインターリーバ２７の出力に基づいて最尤復号を行って受信ビット列を生成するビタビ復号器２８とを備えている。
【００２８】
さらに、ＰＨＹ受信部８は、ＡＤＣ２１にてアナログ−デジタル変換された受信信号（以下、デジタル受信信号という）に基づいて、通信装置１が使用する通信チャンネルのキャリアセンスを行うキャリアセンス回路３０を備えている。
【００２９】
なお、本実施形態において、ＰＨＹ送信部７のエンコーダ１１，インターリーバ１２，変調部１３，第１ＩＦＦＴ部１４，プリアンブル部１５、及び、ＰＨＹ受信部８の同期検出部２２，第１ＦＦＴ部２３，復調部２４，レベル検出器２５，重み制御部２６，デインターリーバ２７，ビタビ復号器２８は、論理回路に従って実行する処理として実現されている。
【００３０】
また、本実施形態のキャリアセンス回路３０は、同期検出部２２とビタビ復号器２８とに接続されており、同期検出部２２からＰＨＹ受信処理の開始を示す信号（以下、復調開始信号という）が入力されるとキャリアセンスを停止し、ビタビ復号器２８からＰＨＹ受信処理の終了を示す信号（以下、復調終了信号という）が入力されるとキャリアセンスを開始するように構成されている。
【００３１】
＜キャリアセンス回路＞
図３は、本発明が適用されたキャリアセンス回路３０の構成を示すブロック図である。
図３に示すように、キャリアセンス回路３０は、ＡＤＣ２１から出力されるデジタル受信信号を高速フーリエ変換（ＦＦＴ）することによりデジタル受信信号の周波数スペクトルを算出する第２ＦＦＴ部３１と、第２ＦＦＴ部３１により算出された周波数スペクトルからノイズの受信有無を判定してその判定結果に応じてノイズ成分を抽出するノイズ抽出処理を行うノイズ抽出部３２と、ノイズ抽出部３２により抽出されたノイズ成分を除去するノイズキャンセル部３３とを備えている。なお、第２ＦＦＴ部３１は、ＯＦＤＭシンボル時間Ｔ１よりも小さい時間Ｔ２（例えば、Ｔ２＝Ｔ１／Ｎ；但し、Ｎは自然数）の間隔でＦＦＴ処理を実行するように構成されている。
【００３２】
また、キャリアセンス回路３０は、ノイズキャンセル部３３を介して入力された周波数スペクトルを逆フーリエ変換することにより時間軸上の波形（時間波形）に復元する第２ＩＦＦＴ部３４と、第２ＩＦＦＴ部３４にて復元された時間波形に基づく信号レベルと予め規定される第１基準値とを比較することにより、通信チャンネルの搬送波が存在するかどうか（即ち、デジタル無線通信システムＳにおける他の通信装置が送信中であるかどうか）の判定（以下、キャリアセンス判定という）を行うキャリア判定部３５とを備えている。
【００３３】
なお、本実施形態の第１基準値は、デジタル無線通信システムＳの規格により定められたキャリアセンスレベルに基づく値として規定される。また、キャリア判定部３５は、第２ＩＦＦＴ部３４からの入力信号の信号強度（ＲＳＳＩ）が、その第１基準値を超える場合、通信チャンネルの搬送波（以下、通信キャリアという）が存在すると判定し、ＲＳＳＩが第１基準値以下である場合、通信キャリアが存在しないと判定し、これらキャリアセンスの判定結果をＭＡＣ部５に出力する。
【００３４】
＜ノイズ抽出処理＞
ここで、図４は、ノイズ抽出部３２が実行するノイズ抽出処理の詳細を示すフローチャートである。なお、ノイズ抽出処理は、第２ＦＦＴ部３１の処理間隔で繰り返し実行される。
【００３５】
図４に示すように、ノイズ抽出処理では、まず、第２ＦＦＴ部３１により算出された周波数スペクトルのうち、振幅が予め設定された第２基準値を超える周波数ポイント（以下、選択ポイントという）が存在するか否かを判断する（Ｓ１１０）。なお、本実施形態の第２基準値は、図５（ａ）に示すように、受信信号が入り込まない状態（例えば、アンテナ端子を終端した状態や、電波暗室内でアンテナ２に外来雑音が入り込まない状態など）で測定された内部雑音の信号レベルにマージンを加えた値として規定される。
【００３６】
そして、選択ポイントが存在すると判断した場合（Ｓ１１０；ＹＥＳ）、全ての選択ポイントの振幅値を平均した平均振幅値を選択振幅値Ａave selectとして、全ての周波数ポイントの振幅値を平均した平均振幅値（以下、全周波数ポイントの平均振幅値という）Ａave allに対する選択振幅値Ａave selectの比で表される第１振幅比Ｒ1（＝Ａave select／Ａave all）を算出する（Ｓ１２０）。
【００３７】
次に、Ｓ１２０で算出した第１振幅比Ｒ1が、予め設定された第１閾値αを上回るか否か判断し（Ｓ１３０）、第１閾値αを上回る場合（Ｓ１３０；ＹＥＳ）、選択ポイントの周波数および振幅値（以下、ノイズ情報という）を示すノイズオン信号をノイズキャンセル部３３に出力し（Ｓ１６０）、Ｓ１１０を再実行する。
【００３８】
なお、本実施形態の第１閾値αは、図５（ｂ）に示すように、通信装置１が使用する通信チャンネルのガードバンド帯域に相当する周波数ポイント（以下、ＧＢポイントという）を除く全ての周波数ポイントの振幅値が第２基準値をわずかに超えるデジタル無線通信システムＳ用の信号（以下、自システム信号という）の周波数スペクトルを算出し、その算出結果から得られる第１振幅比Ｒ1に基づいて設定される。
【００３９】
一方、第１振幅比Ｒ1が第１閾値α以下である場合（Ｓ１３０；ＮＯ）、全てのＧＢポイントの振幅値を平均した平均振幅値をＧＢ振幅値Ａave guard、選択ポイントからＧＢポイントを除去した周波数ポイント（以下、信号ポイントという）における全ての振幅値を平均した平均振幅値を信号振幅値Ａave signalとして、ＧＢ振幅値Ａave guardに対する信号振幅値Ａave signalの比で表される第２振幅比Ｒ2（＝Ａave signal／Ａave guard）を算出する（Ｓ１４０）。
【００４０】
そして、Ｓ１４０で算出した第２振幅比Ｒ2が、予め設定された第２閾値βを下回るか否か判断し（Ｓ１５０）、第２閾値βを下回る場合（Ｓ１５０；ＹＥＳ）、ノイズ情報（即ち、選択ポイントの周波数および振幅値）を示すノイズオン信号をノイズキャンセル部３３に出力し（Ｓ１６０）、Ｓ１１０を再実行する。なお、本実施形態の第２閾値βは、図５（ｃ）に示すように、信号振幅値Ａave signalを信号レベル、ＧＢ振幅値Ａave guardを雑音レベルとみなして、ＰＨＹ受信処理（即ち、復調処理）に必要なＳＮ比を満たす値以下となる第２振幅比Ｒ2に基づいて設定される。
【００４１】
一方、周波数スペクトルのうち選択ポイントが存在しないと判断した場合（Ｓ１１０；ＮＯ）、又は、第２振幅比Ｒ2が第２閾値β以上である場合（Ｓ１５０；ＮＯ）、ノイズを受信していないことを示すノイズオフ信号をノイズキャンセル部３３に出力し（Ｓ１７０）、Ｓ１１０を再実行する。
【００４２】
＜処理例＞
このように実行されるノイズ抽出処理では、図６（ａ）に示すように、受信信号が、特定の周波数ポイントのみが第２基準値を大幅に超えるノイズ（以下、周波数選択性ノイズという）であれば、第１振幅比Ｒ1が第１閾値αを上回り、ノイズ情報として選択ポイントの周波数（ｆ11）および振幅値（Ａ11）を表すデータ列がノイズキャンセル部３３に出力される。なお、周波数選択性ノイズとしては、例えば、電子レンジや携帯電話あるいはＰＣから流出する電磁波（高調波）などが挙げられる。
【００４３】
また、図６（ｂ）に示すように、受信信号が、通信装置１が使用する通信チャンネルの周波数帯で満遍なく第２基準値を超えるノイズ（以下、周波数非選択性ノイズという）であれば、第２振幅比Ｒ2が第２閾値βを下回り、ノイズ情報として選択ポイントの周波数（ｆ1〜ｆ3，ｆ6〜ｆ12，ｆ15，ｆ16）および振幅値（Ａ1〜Ａ3，Ａ6〜Ａ12，Ａ15，Ａ16）を表すデータ列がノイズキャンセル部３３に出力される。なお、周波数非選択性ノイズとしては、例えば、他の無線通信システムから送信されてくる干渉波などが挙げられる。
【００４４】
一方、図７（ａ）及び図７（ｂ）に示すように、受信信号が、自システム信号と周波数選択性ノイズや周波数非選択性ノイズ（以下、単に「ノイズ」という）との合わさったものであれば、第１振幅比Ｒ1が第１閾値α以下、且つ、第２振幅比Ｒ2が第２閾値β以上となり、ノイズを受信していないことを示すノイズオフ信号がノイズキャンセル部３３に出力される。
【００４５】
＜動作例＞
このように構成されたキャリアセンス回路３０では、ノイズ抽出部３２によってノイズを受信していると判定すると、キャリア判定部３５が、ノイズキャンセル部３３によりノイズ成分を除去したデジタル受信信号（以下、ノイズ除去信号という）のＲＳＳＩと第１基準値とを比較することにより、キャリアセンス判定を行う。
【００４６】
また、キャリアセンス回路３０では、ノイズ抽出部３２によって少なくとも自システム信号（詳しくは、自システムで用いられる通信チャンネルの信号）を受信していると判定すると、キャリア判定部３５が、ノイズキャンセル部３３によりノイズ成分が除去されずに入力されるデジタル受信信号のＲＳＳＩと第１基準値とを比較することにより、キャリアセンス判定を行う。
【００４７】
このため、キャリアセンス回路３０では、例えば、ノイズのみを受信している場合には、他の通信装置が送信中でないというキャリアセンスの判定結果をＭＡＣ部５に出力し、ノイズを受信している場合であっても自システム信号を受信していれば、他の通信装置が送信中であるというキャリアセンスの判定結果をＭＡＣ部５に出力することが可能となる。
【００４８】
なお、上記実施形態において、第２ＦＦＴ部３１がＦＦＴ処理手段、ノイズ抽出部３２がノイズ抽出手段、キャリア判定部３５がキャリア判定手段に相当する。
＜本実施形態の効果＞
以上説明したように、本実施形態のキャリアセンス回路３０では、デジタル受信信号からノイズ成分を除去した信号（ノイズ除去信号）に基づいてキャリアセンス判定を行うため、他の通信システムや電子機器から送信されてくるノイズによって通信チャンネルが空いていないと誤判定をしてしまうことを防止し、その結果、待機状態がむやみに続いて送信機会を逸してしまうことを抑制することが可能となる。
【００４９】
したがって、本実施形態のキャリアセンス回路３０によれば、通信可能な程度のノイズが存在している環境下にあっても通信効率を低下させずに済むことができる。
また、キャリアセンス回路３０は、同期検出部２２とビタビ復号器２８とに接続されており、同期検出部２２から復調開始信号が入力されるとキャリアセンスを停止し、ビタビ復号器２８から復調終了信号が入力されるとキャリアセンスを開始するように構成されている。
【００５０】
このため、通信装置１宛の自システム信号を受信中に不要なキャリアセンスに係る処理を行わずに済み、処理の錯綜を防止することができる。
なお、キャリアセンス回路３０では、第２ＦＦＴ部３１が、ＯＦＤＭシンボル時間Ｔ１よりも小さい時間Ｔ２の間隔でＦＦＴ処理を実行するため、ノイズや受信信号に対して速い応答性でキャリアセンス判定を行うことができる。
【００５１】
［他の実施形態］
以上、本発明の実施形態について説明したが、本発明は上記実施形態に限定されるものではなく、本発明の要旨を逸脱しない範囲において、様々な態様にて実施することが可能である。
【００５２】
例えば、上記実施形態のキャリアセンス回路３０では、キャリア判定部３５が、第２ＩＦＦＴ部３４により逆フーリエ変換された信号のＲＳＳＩに基づいて、キャリアセンス判定を行っているが、これに限定されるものではなく、図８に示すように、第２ＩＦＦＴ部３４を省略すると共に、第２ＦＦＴ部３１により算出された周波数スペクトル上での振幅の積分値を用いて閾値判定することによって、キャリアセンスを行ってもよい。
【００５３】
また、上記実施形態のキャリアセンス回路３０は、同期検出部２２から復調開始信号が入力されるとキャリアセンスを停止し、ビタビ復号器２８から復調終了信号が入力されるとキャリアセンスを開始するように構成されているが、これに限定されるものではなく、キャリアセンス判定を継続的に行うようにしてもよい。この場合、復調開始信号が入力されるとノイズ抽出処理を停止し、復調終了信号が入力されるとノイズ抽出処理を開始するように構成されていてもよい。
【００５４】
さらに言えば、上記実施形態のキャリアセンス回路３０では、ノイズ抽出処理によって、第１振幅比Ｒ1が第１閾値αを上回る場合、又は、第２振幅比Ｒ2が第２閾値βを下回る場合に、ノイズキャンセル部３３が周波数スペクトルのノイズ成分を除去するように構成されているが、これに限らず、例えば、自システム信号が含まれている場合であってもノイズ成分を除去するように構成されていてもよい。
【００５５】
なお、上記実施形態のノイズ抽出処理では、選択ポイントが存在しないと判断した場合、又は、第２振幅比Ｒ2が第２閾値β以上である場合に、ノイズを受信していないことを示すノイズオフ信号をノイズキャンセル部３３に出力しているが、ノイズオフ信号を用いることに限定されるものでなく、ノイズ情報を出力しないように構成されていればよい。この場合、ノイズキャンセル部３３が、ノイズ抽出部３２からノイズ情報（ノイズオン信号）が入力されなければ、ノイズキャンセルせずに周波数スペクトルを後段に受け渡すようにデフォルト設定されていればよい。
【００５６】
ところで、上記実施形態の通信装置１では、ＭＡＣ部５が、キャリアセンス回路３０からキャリアセンスの判定結果だけを受け取るように構成されているが、これに限定されるものではなく、例えば、キャリアセンス回路３０からノイズ情報を受け取り、ノイズの周波数以外の周波数帯を用いて送信するための処理を行うようにしてもよいし、送信信号の信号レベルを変更するための処理を行ってもよい。
【００５７】
また、上記実施形態の通信装置１では、キャリアセンスの判定結果をＭＡＣ送信処理に用いているが、これに限らず、ＰＨＹ受信処理（即ち、復調処理）に応用してもよい。
なお、上記実施形態のＰＨＹ部４では、ＰＨＹ送信部７の各部１１〜１５、及び、ＰＨＹ受信部８の各部２２〜２８が、論理回路に従って実行する処理として実現されているが、これに限定されるものではなく、マイクロコンピュータが予め用意されたプログラムに従って実行する処理として実現されていてもよい。
【００５８】
また、上記実施形態のＰＨＹ部４は、ＯＦＤＭ信号の送受信用に構成されているが、これに限らず、複数の搬送波（キャリア）からなる通信チャンネルで行う通信用に構成されていればよく、例えば、ＯＦＤＭ技術とＣＤＭＡ技術とを組み合わせた通信に用いられるように構成されていてもよい。
【図面の簡単な説明】
【００５９】
【図１】本実施形態の通信装置１の概略構成を示すブロック図。
【図２】通信装置１におけるＰＨＹ部４の構成を示すブロック図。
【図３】本発明のキャリアセンス回路３０の第１構成例を示すブロック図。
【図４】ノイズ抽出部３２が実行するノイズ抽出処理の詳細を示すフローチャート。
【図５】第２基準値、第１振幅比Ｒ1、及び第２振幅比Ｒ2を説明するための周波数スペクトル図。
【図６】ノイズ抽出処理でノイズ成分を抽出する場合を説明するための周波数スペクトル図。
【図７】ノイズ抽出処理でノイズ成分を抽出しない場合を説明するための周波数スペクトル図。
【図８】本発明のキャリアセンス回路３０の第２構成例を示すブロック図。
【図９】従来の問題点を説明するための周波数スペクトル図。
【符号の説明】
【００６０】
１…通信装置、２…アンテナ、３…ＲＦ部、４…ＰＨＹ部、５…ＭＡＣ部、６…上位層、７…ＰＨＹ送信部、８…ＰＨＹ受信部、１１…エンコーダ、１２…インターリーバ、１３…変調部、１４…第１ＩＦＦＴ部、１５…プリアンブル部、１６…ＤＡＣ、２１…ＡＤＣ、２２…同期検出部、２３…第１ＦＦＴ部、２４…復調部、２５…レベル検出器、２６…重み制御部、２７…デインターリーバ、２８…ビタビ復号器、３０…キャリアセンス回路、３１…第２ＦＦＴ部、３２…ノイズ抽出部、３３…ノイズキャンセル部、３４…第２ＩＦＦＴ部、３５…キャリア判定部。
【図１】
0004962412.tif 000002
【図２】
0004962412.tif 000003
【図３】
0004962412.tif 000004
【図４】
0004962412.tif 000005
【図５】
0004962412.tif 000006
【図６】
0004962412.tif 000007
【図７】
0004962412.tif 000008
【図８】
0004962412.tif 000009
【図９】
0004962412.tif 000010